【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
所定のデータ集合から抽出されたデータに基づいて該データ集合の特徴に係る情報を出力する処理をコンピュータに実行させる特徴出力プログラムであって、
前記データ集合から抽出されたデータを平面上の位置に対応付けたデータ分布に係る情報を生成するとともに、前記データ集合がグループ化された場合に該グループに含まれるデータ集合から抽出されたデータの前記データ分布における位置をグループごとに囲むグループ枠に係る情報をメタボール表現を用いて生成する情報生成手順と、
前記情報生成手順により生成されたデータ分布に係る情報および前記グループ枠に係る情報に基づいて、該グループ枠を前記データ分布に重ねて出力する分布出力手順と、
をコンピュータに実行させることを特徴とする特徴出力プログラム。
【請求項２】
前記情報生成手順は、前記データ集合がグループ化されたグループに係る情報に基づいてグループ枠の出力形態に係る情報をさらに生成し、前記分布出力手順は、該グループ枠の出力形態に係る情報に基づいてグループ枠を出力することを特徴とする請求項１に記載の特徴出力プログラム。
【請求項３】
前記分布出力手順により出力されたグループ枠をグループの指定を受け付けるためのタブとして機能させ、該タブによりグループが指定された場合に、当該グループに係る所定のデータ処理を実行するデータ処理実行手順をさらに含んだことを特徴とする請求項１または２に記載の特徴出力プログラム。
【請求項４】
前記データ処理実行手順は、前記タブによりグループが指定され、グループ枠の重なり順序の変更要求がなされた場合に、グループ枠の出力位置に係る情報および重なり順序に係る情報に基づいて重なり順序が変更されたグループ枠を前記データ分布に重ねて出力することを特徴とする請求項３に記載の特徴出力プログラム。
【請求項５】
所定のデータ集合から抽出されたデータに基づいて該データ集合の特徴に係る情報を出力する特徴出力方法であって、
前記データ集合から抽出されたデータを平面上の位置に対応付けたデータ分布に係る情報を生成するとともに、前記データ集合がグループ化された場合に該グループに含まれるデータ集合から抽出されたデータの前記データ分布における位置をグループごとに囲むグループ枠に係る情報をメタボール表現を用いて生成する情報生成工程と、
前記情報生成工程により生成されたデータ分布に係る情報および前記グループ枠に係る情報に基づいて、該グループ枠を前記データ分布に重ねて出力する分布出力工程と、
を含んだことを特徴とする特徴出力方法。
【手続補正２】
【補正対象書類名】明細書
【補正対象項目名】発明の名称
【補正方法】変更
【補正の内容】
【発明の名称】特徴出力プログラム及び特徴出力方法
【手続補正３】
【補正対象書類名】明細書
【補正対象項目名】０００１
【補正方法】変更
【補正の内容】
【０００１】
この発明は、所定のデータ集合から抽出されたデータに係る情報に基づいて該データ集合の特徴に係る情報を出力する処理をコンピュータに実行させる特徴出力プログラム及び特徴出力方法に関し、特に、テキスト等のデータ集合に含まれる用語等のデータの特徴をわかりやすく提示することができる特徴出力プログラム及び特徴出力方法に関する。
【手続補正４】
【補正対象書類名】明細書
【補正対象項目名】００１０
【補正方法】変更
【補正の内容】
【００１０】
この発明は、上述した従来技術による問題点を解消するためになされたものであり、テキスト等のデータ集合に含まれる用語等のデータの特徴をわかりやすく提示することができる特徴出力プログラム及び特徴出力方法を提供することを目的とする。
【手続補正５】
【補正対象書類名】明細書
【補正対象項目名】００１１
【補正方法】変更
【補正の内容】
【００１１】
上述した課題を解決し、目的を達成するため、本発明は、所定のデータ集合から抽出されたデータに基づいて該データ集合の特徴に係る情報を出力する処理をコンピュータに実行させる特徴出力プログラムであって、前記データ集合から抽出されたデータを平面上の位置に対応付けたデータ分布に係る情報を生成するとともに、前記データ集合がグループ化された場合に該グループに含まれるデータ集合から抽出されたデータの前記データ分布における位置をグループごとに囲むグループ枠に係る情報をメタボール表現を用いて生成する情報生成手順と、前記情報生成手順により生成されたデータ分布に係る情報および前記グループ枠に係る情報に基づいて、該グループ枠を前記データ分布に重ねて出力する分布出力手順と、をコンピュータに実行させることを特徴とする。
【手続補正６】
【補正対象書類名】明細書
【補正対象項目名】００１２
【補正方法】変更
【補正の内容】
【００１２】
また、本発明は、前記情報生成手順は、前記データ集合がグループ化されたグループに係る情報に基づいてグループ枠の出力形態に係る情報をさらに生成し、前記分布出力手順は、該グループ枠の出力形態に係る情報に基づいてグループ枠を出力することを特徴とする。
【手続補正７】
【補正対象書類名】明細書
【補正対象項目名】００１３
【補正方法】変更
【補正の内容】
【００１３】
また、本発明は、前記分布出力手順により出力されたグループ枠をグループの指定を受け付けるためのタブとして機能させ、該タブによりグループが指定された場合に、当該グループに係る所定のデータ処理を実行するデータ処理実行手順をさらに含んだことを特徴とする。
【手続補正８】
【補正対象書類名】明細書
【補正対象項目名】００１４
【補正方法】変更
【補正の内容】
【００１４】
また、本発明は、前記データ処理実行手順は、前記タブによりグループが指定され、グループ枠の重なり順序の変更要求がなされた場合に、グループ枠の出力位置に係る情報および重なり順序に係る情報に基づいて重なり順序が変更されたグループ枠を前記データ分布に重ねて出力することを特徴とする。
【手続補正９】
【補正対象書類名】明細書
【補正対象項目名】００１５
【補正方法】変更
【補正の内容】
【００１５】
また、本発明は、前記データ処理実行手順は、前記タブによりグループが指定され、グ
ループに係る情報の出力要求がなされた場合に、前記分布出力手順によりグループ枠を前
記データ分布に重ねて出力した領域とは別の領域に該グループに係る情報を出力すること
を特徴とする。
【手続補正１０】
【補正対象書類名】明細書
【補正対象項目名】００１６
【補正方法】変更
【補正の内容】
【００１６】
また、本発明は、所定のデータ集合から抽出されたデータに基づいて該データ集合の特徴に係る情報を出力する特徴出力装置であって、前記データ集合から抽出されたデータを平面上の位置に対応付けたデータ分布に係る情報を生成するとともに、前記データ集合がグループ化された場合に該グループに含まれるデータ集合から抽出されたデータの前記データ分布における位置をグループごとに囲むグループ枠に係る情報をメタボール表現を用いて生成する情報生成手段と、前記情報生成手段により生成されたデータ分布に係る情報および前記グループ枠に係る情報に基づいて、該グループ枠を前記データ分布に重ねて出力する分布出力手段と、を備えたことを特徴とする。
【手続補正１１】
【補正対象書類名】明細書
【補正対象項目名】００１７
【補正方法】変更
【補正の内容】
【００１７】
また、本発明は、所定のデータ集合から抽出されたデータに基づいて該データ集合の特徴に係る情報を出力する特徴出力方法であって、前記データ集合から抽出されたデータを平面上の位置に対応付けたデータ分布に係る情報を生成するとともに、前記データ集合がグループ化された場合に該グループに含まれるデータ集合から抽出されたデータの前記データ分布における位置をグループごとに囲むグループ枠に係る情報をメタボール表現を用いて生成する情報生成工程と、前記情報生成工程により生成されたデータ分布に係る情報および前記グループ枠に係る情報に基づいて、該グループ枠を前記データ分布に重ねて出力する分布出力工程と、を含んだことを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明によれば、データ集合から抽出されたデータを平面上の位置に対応付けたデータ分布に係る情報を生成するとともに、データ集合がグループ化された場合にグループに含まれるデータ集合から抽出されたデータのデータ分布における位置をグループごとに囲むグループ枠に係る情報をメタボール表現を用いて生成し、生成されたデータ分布に係る情報およびグループ枠に係る情報に基づいて、グループ枠をデータ分布に重ねて出力することとしたので、見やすいグループ枠を効率的に生成することができ、テキスト等のデータ集合に含まれる用語等のデータの特徴をわかりやすく提示することができるという効果を奏する。
【手続補正１４】
【補正対象書類名】明細書
【補正対象項目名】００２０
【補正方法】変更
【補正の内容】
【００２０】
また、本発明によれば、データ集合がグループ化されたグループに係る情報に基づいてグループ枠の出力形態に係る情報をさらに生成し、そのグループ枠の出力形態に係る情報に基づいてグループ枠を出力することとしたので、各グループの特徴に応じて異なる出力形態でグループ枠を出力でき、一度により多くの情報を利用者に提供することができるという効果を奏する。
【手続補正１５】
【補正対象書類名】明細書
【補正対象項目名】００２１
【補正方法】変更
【補正の内容】
【００２１】
また、本発明によれば、出力されたグループ枠をグループの指定を受け付けるためのタブとして機能させ、タブによりグループが指定された場合に、グループに係る所定のデータ処理を実行することとしたので、グループ枠をタブとして用いることにより利用者の操作性を向上させることができるという効果を奏する。
【手続補正１６】
【補正対象書類名】明細書
【補正対象項目名】００２２
【補正方法】変更
【補正の内容】
【００２２】
また、本発明によれば、タブによりグループが指定され、グループ枠の重なり順序の変更要求がなされた場合に、グループ枠の出力位置に係る情報および重なり順序に係る情報に基づいて重なり順序が変更されたグループ枠をデータ分布に重ねて出力することとしたので、利用者により重なり順序の変更要求がなされた場合に、迅速に重なり順序の変更処理を実行することができるという効果を奏する。
【手続補正１７】
【補正対象書類名】明細書
【補正対象項目名】００２３
【補正方法】変更
【補正の内容】
【００２３】
また、本発明によれば、タブによりグループが指定され、グループに係る情報の出力要求がなされた場合に、グループ枠をデータ分布に重ねて出力した領域とは別の領域にグループに係る情報を出力することとしたので、グループに係る情報を容易に出力することができ、利用者の操作性を向上させることができるという効果を奏する。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
以下に添付図面を参照して、本発明に係る特徴出力プログラム及び特徴出力方法の好適な実施例を詳細に説明する。なお、ここでは、電子会議室のさまざまな参加者による発言についての分析をおこない、発言の特徴をファシリテータに提示する場合について説明する。
【手続補正２０】
【補正対象書類名】明細書
【補正対象項目名】０１２５
【補正方法】変更
【補正の内容】
【０１２５】
以上のように、本発明にかかる特徴出力プログラム及び特徴出力方法は、テキスト等のデータ集合に含まれる用語等のデータの特徴をわかりやすく提示することが必要なテキスト特徴出力システムに有用である。